(57)【要約】【課題】開閉が容易で、製造・設置のコストが、例えば一般的な雨戸と比較しても遜色なく安価で、かつ、高い密封性を実現可能な雨戸を提供する。【解決手段】雨戸１は、各々２枚の部分戸板を蝶番１１３により互いに回動可能に連結してなる戸板１１Ｌおよび戸板１１Ｒにより構成される戸板１１と、戸板１１を窓枠８の左縦枠８Ｒおよび右縦枠８Ｌの外側面に鉛直方向の軸回りに回動可能に取り付ける支持具１２と、戸板１１の内側面上に矩形状に一周するように取り付けられたシール材１３と、シール材１３を挟んで窓枠８側に引き寄せられた戸板１１を窓枠８に対し着脱可能に固定する係止具１４とを備えている。雨戸１は、支持具１２をネジ止め等することにより容易に既存の窓枠８に対し取り付け可能であるとともに、その接合面を一周するシール材１３により高い密封性をもたらす。【選択図】図１
2012193525.tif 000002
【特許請求の範囲】
【請求項１】
家屋の内部と外部とを仕切る壁面内に配置された窓枠の外側に、前記窓枠を含む面に平行な方向の軸回りに回動可能に配置された板状体である戸板と、
前記戸板の前記窓枠に対向する面と前記窓枠の前記戸板に対向する面とが互いに平行に配置された状態において、前記戸板と前記窓枠との間に挟まれる位置に配置され、前記戸板と前記窓枠との間を封止する封止部と、
前記戸板の前記窓枠に対向する面と前記窓枠の前記戸板に対向する面とが互いに平行に配置された状態において、前記戸板と前記窓枠とを互いに着脱可能に係止する係止部と
を備える雨戸。
【請求項２】
前記窓枠の外側面上に固着され、前記戸板を軸回りに回動可能に支持する支持部を備える
請求項１に記載の雨戸。
【請求項３】
前記雨戸は、鉛直方向の軸回りに前記窓枠に対し回動可能に配置された板状体である左側戸板と、前記左側戸板の回動の軸より前記家屋の外側から前記窓枠を含む面に対し垂直に見て右側に位置する鉛直方向の軸回りに前記窓枠に対し回動可能に配置された板状体である右側戸板とを有する
請求項１または２に記載の雨戸。
【請求項４】
前記戸板は、鉛直方向を軸として互いに回動可能に連結された２枚以上の板状体を有する
請求項１乃至３のいずれかに記載の雨戸。
【請求項５】
前記戸板は、前記戸板を含む面に対し垂直に見て５０％以上の面積の領域において可視光透過率が５０％以上である
請求項１乃至４のいずれかに記載の雨戸。
【発明の詳細な説明】
【技術分野】
【０００１】
本発明は窓の外側に開閉可能に配置される雨戸に関する。
【背景技術】
【０００２】
家屋の壁内に採光や換気等の目的で設けられた窓を風雨から守り、また不法侵入者の家屋内への侵入を防止または抑止する目的で、窓の外側を覆うように開閉可能に配置された雨戸が広く利用されている。
【０００３】
古くから利用されている典型的な雨戸は、壁外の窓に隣接する位置に設けられた戸袋と呼ばれる収納スペースと、複数枚の戸板と、窓枠の上枠下面と下枠上面の各々に設けられた戸板の幅よりやや広い幅の浅い溝とを備えている。そのような構造の雨戸において、戸板は不使用時には戸袋内に重ねて立て掛けられた状態で収納される。そして、使用時、すなわち雨戸を閉める場合には、ユーザは戸袋から１枚ずつ戸板を立てた状態のままで水平方向にスライドさせながら窓側に引き出し、順次、それらの戸板を窓枠内面上に設けられた溝にスライドインさせていく。その結果、溝上に一列に並べられた戸板が窓全体を外側から覆うことになる。
【０００４】
上述した構造の雨戸は、戸板の出し入れに時間と労力を要し、さらに戸板を溝にスライドインさせる際、溝のエッジ部分に戸板のエッジ部分が衝突し各々が損傷しやすい、といった不都合がある。また、戸板の下面に戸車を設け、その戸車を、窓枠の上枠下面と下枠上面に設けられたレール上に載せることにより、戸板のスライドに要する力を軽減する工夫がされたものも広く利用されているが、その場合であっても、戸板をレール上に載せる際に戸車とレールのエッジ部分が衝突しレールが窓枠から遊離する等の損傷が生じやすい、といった問題がある。
【０００５】
これに対し、例えば、特許文献１においては、蛇腹状に折り畳み可能に互いに連結された複数枚の戸板で構成される雨戸が提案されている。特許文献１に開示の雨戸によれば、窓枠の上枠下面および下枠上面に設けられたレールに対し摺動可能に枢着された蛇腹状にくみ上げられた戸板群を、ユーザが水平方向（窓に向かい左右方向）に移動させることにより、雨戸の開閉を容易かつ確実に行うことができる。
【０００６】
ところで、近年、省エネルギーの観点から窓の断熱機能に対する高いニーズが生じている。そのニーズを満たす一つの手段として、寒冷地において古くから利用されている二重窓がある。二重窓の多くは、引き戸式の窓を家屋の内側と外側に二重に設けることにより、窓が一枚である通常の窓と比較し、断熱性能を高めたものである。
【先行技術文献】
【特許文献】
【０００７】
【特許文献１】実開平２−２７４９７号公報
【発明の概要】
【発明が解決しようとする課題】
【０００８】
上述した特許文献１に記載の雨戸や、従来技術にかかる二重窓はいずれも、引き戸式の窓構造を採用している。本来、引き戸式の窓は、上枠および下枠に設けられたレールと窓の上面および下面に設けられた戸車との間の摺動性を確保する必要があるため、その密封性を高めるためには複雑な構造を要し、コスト高となる。
【０００９】
上述した事情に鑑み、本発明は、開閉が容易で、製造・設置のコストが、例えば一般的な雨戸と比較しても遜色なく安価で、かつ、高い密封性を実現可能な雨戸を提供することを目的とする。
【課題を解決するための手段】
【００１０】
上記の課題を解決するため、本発明は、
家屋の内部と外部とを仕切る壁面内に配置された窓枠の外側に、前記窓枠を含む面に平行な方向の軸回りに回動可能に配置された板状体である戸板と、
前記戸板の前記窓枠に対向する面と前記窓枠の前記戸板に対向する面とが互いに平行に配置された状態において、前記戸板と前記窓枠との間に挟まれる位置に配置され、前記戸板と前記窓枠との間を封止する封止部と、
前記戸板の前記窓枠に対向する面と前記窓枠の前記戸板に対向する面とが互いに平行に配置された状態において、前記戸板と前記窓枠とを互いに着脱可能に係止する係止部と
を備える雨戸
を提供する（第１の実施態様）。
【００１１】
また、好ましい実施態様として、上述の第１の実施態様において、
前記窓枠の外側面上に固着され、前記戸板を軸回りに回動可能に支持する支持部を備える
構成が採用されてもよい（第２の実施態様）。
【００１２】
また、別の好ましい実施態様として、上述の第１または第２の実施態様において、
前記雨戸は、鉛直方向の軸回りに前記窓枠に対し回動可能に配置された板状体である左側戸板と、前記左側戸板の回動の軸より前記家屋の外側から前記窓枠を含む面に対し垂直に見て右側に位置する鉛直方向の軸回りに前記窓枠に対し回動可能に配置された板状体である右側戸板とを有する
構成が採用されてもよい（第３の実施態様）。
【００１３】
また、別の好ましい実施態様として、上述の第１乃至第３のいずれかの実施態様において、
前記戸板は、鉛直方向を軸として互いに回動可能に連結された２枚以上の板状体を有する
構成が採用されてもよい（第４の実施態様）。
【００１４】
また、別の好ましい実施態様として、上述の第１乃至第４のいずれかの実施態様において、
前記戸板は、前記戸板を含む面に対し垂直に見て５０％以上の面積の領域において可視光透過率が５０％以上である
構成が採用されてもよい（第５の実施態様）。
【発明の効果】
【００１５】
上述の第１の実施態様にかかる雨戸によれば、ユーザは窓の外側に配置された戸板を軸回りに回動させながら屋内側に引き寄せ、戸板と窓枠の間に挟み込んだ状態で係止部により戸板を窓枠に対し固定することにより、戸板で窓を容易に密封し覆うことができる。また、第１の実施態様にかかる雨戸に最低限必要な構造は、窓枠に対し回動可能に取り付けられた戸板と、戸板と窓枠との間に配置された例えばシリコンゴムなどの封止部と、戸板と窓枠とを互いに着脱可能に係止する係止部のみであるため、レールや戸車等の構造を備える従来技術によるものと比較し簡易である。そのため、第１の実施態様にかかる雨戸は、例えば従来技術にかかる引き戸式の雨戸や二重窓と比較し、一般的に低コストで実施可能である。
【００１６】
また、上述の第２の実施態様にかかる雨戸によれば、既存の窓枠の外側面上に例えばネジ止め等により支持部を固着させることにより、容易に本発明にかかる雨戸が実現される。そのため、既存の窓枠の設計を変更することなく、また既に家屋に設置されている窓枠を取り替えたり改造したりすることなく、容易かつ低コストで上述した第１の実施態様にかかる雨戸に関し述べた効果が得られる。
【００１７】
また、上述の第３の実施態様にかかる雨戸によれば、いわゆる観音開き式の開閉構造が採用されることにより、回動時における戸板の自重が窓枠等により支持され、ユーザが開閉に要する力が小さくて済むとともに、左側戸板および右側戸板の少なくとも２枚の戸板により窓が覆われるため、例えば１枚の戸板で窓の全てを覆う場合と比較し、戸板の回動に要するスペースが狭くて済む。従って、例えばユーザが開閉のために大きく手を伸ばす必要がないとともに、例えば窓の外のすぐ近く障害物がある場合などでも本発明にかかる雨戸の設置が可能となる。
【００１８】
また、上述の第４の実施態様にかかる雨戸によれば、いわゆる蛇腹式の戸板構造が採用されることにより、例えば戸板が単純な１枚の板状体である場合と比較し、戸板の回動に要するスペースが狭くて済む。従って、この場合も、例えばユーザが開閉のために大きく手を伸ばす必要がないとともに、例えば窓の外のすぐ近く障害物がある場合などでも本発明にかかる雨戸の設置が可能となる。
【００１９】
また、上述の第５の実施態様にかかる雨戸によれば、戸板が透明もしくは半透明の部分を広く持つため、雨戸を閉めた状態において高い密封性と採光との両方を同時に実現することができる。
【図面の簡単な説明】
【００２０】
【図１】図１は、本発明の一実施形態にかかる雨戸が閉じられた状態を屋外から見た場合の概観を示した図である。
【図２】図２は、本発明の一実施形態にかかる雨戸が開かれた状態を屋外から見た場合の概観を示した図である。
【図３】図３は、本発明の一実施形態にかかる雨戸が開かれ、戸板が畳まれた状態を屋外から見た場合の概観を示した図である。
【図４】図４は、本発明の一実施形態にかかる雨戸を上から鉛直下方向に見た場合の概観を示した図である。
【図５】図５は、本発明の一実施形態にかかる雨戸が備える係止具を鉛直方向に上から下へ見た場合の形状を模式的に示した図である。
【発明を実施するための形態】
【００２１】
［実施形態］
以下に本発明の一実施例である雨戸１を説明する。図１乃至図３は、家屋の内外を仕切る壁７内に埋設された窓枠８に取り付けられた状態の雨戸１を屋外から窓に向かい見た場合の概観を示した図である。なお、図１は閉じられた状態の雨戸１を、図２は開かれた状態の雨戸１を、また図３は開かれた状態でかつ戸板が折り畳まれた状態の雨戸１を各々示している。
【００２２】
また、図４は、窓枠８に取り付けられた状態の雨戸１を上から鉛直下方向に見た場合の概観を示した図である。なお、図４（ａ）は閉じられた状態の雨戸１を、図４（ｂ）は開かれた状態の雨戸１を、図４（ｃ）は開かれた状態でかつ戸板が折り畳まれた状態の雨戸１を、また図４（ｄ）は戸板を折り畳みながら開く途中の状態の雨戸１を、各々示している。
【００２３】
なお、本明細書において、特に断らない限り、「右」および「左」は、起立した観者が屋外から窓を含む面に対し垂直に雨戸１や窓枠８等を見た場合の右および左を各々示すものとする。また、特に断らない限り、「外側」および「内側」は家屋の外側および内側を各々示すものとする。
【００２４】
まず、壁７内に埋設された窓枠８は、屋外から見て鉛直方向に延伸する互いに対向する左縦枠８Ｌおよび右縦枠８Ｒと、水平方向に延伸する互いに対向する上枠８Ｕおよび下枠８Ｂが全体として矩形をなすように組み上げられた構造を備えている。窓枠８の内側には、引き戸式に開閉可能な窓９が取り付けられている。
【００２５】
窓９は左窓９Ｌと右窓９Ｒの２枚で構成されている。左窓９Ｌおよび右窓９Ｒの下面および上面には複数の戸車が取り付けられている。下枠８Ｂの上面および上枠８Ｕの下面の各々には、互いに平行に２本のレールが取り付けられており、それらの各々に沿って左窓９Ｌおよび右窓９Ｒの各々の戸車が転がることにより、左窓９Ｌおよび右窓９Ｒが左右方向に移動可能となっている。
【００２６】
雨戸１は、まず大きく見ると、全体として平板な板状体である戸板１１と、窓枠８に対し戸板１１を鉛直方向の軸回りに回動可能に支持しつつ固定する支持具１２と、戸板１１の内側面上に戸板１１の全体の外縁を一周するように矩形状に取り付けられた平板なシリコンゴムであるシール材１３と、シール材１３を間に挟んだ状態で戸板１１を窓枠８に対し連結固定する係止具１４とを備えている。
【００２７】
戸板１１は複数の戸板を組み上げた構造を備えている。戸板１１は窓９の概ね左側半分を覆う戸板１１Ｌと、右側半分を覆う戸板１１Ｒとを備えている。戸板１１Ｌはさらに、左側に配置される戸板１１ＬＬと右側に配置される戸板１１ＬＲとを備え、同様に戸板１１Ｒは、左側に配置される戸板１１ＲＬと右側に配置される戸板１１ＲＲとを備えている。
【００２８】
戸板１１ＬＬ、戸板１１ＬＲ、戸板１１ＲＬおよび戸板１１ＲＲの各々は、アルミ製の上枠、下枠および２本の縦枠を全体として矩形状に組み上げた戸板枠１１１と、戸板枠１１１内にガスケット（図示略）を介して水密に取り付けられたガラス板１１２を備えている。ガラス板１１２は人体に有害とされる紫外線の透過を９９％以上遮断するとともに、可視光透過率が９０％以上の透明ガラス板である。さらに、ガラス板１１２はPVB（ポリプロビニラール）を２枚のガラスで挟み込んで加熱圧縮した防犯ガラスである。
【００２９】
戸板１１ＬＬと戸板１１ＬＲとは、その平板な面が同一面上に含まれるようにそれらを隣接して並べた状態で、複数の蝶番１１３により、それらの接合面の長手方向を軸とする軸回りに互いに回動可能に連結されることで、戸板１１Ｌに組み上げられている。戸板１１ＬＬの戸板１１ＬＲに対向する面、すなわち戸板１１ＬＬの戸板１１ＬＲに対する接合面には、平板なシリコンゴムであるシール材１１４Ｌが取り付けられている。シール材１１４Ｌは戸板１１ＬＬと戸板１１ＬＲが同一面を構成するように開かれた状態（折り畳まれていない状態）において、戸板１１ＬＬと戸板１１ＬＲの間に挟み込まれて、それらの戸板間を水密に封止する。
【００３０】
同様に、戸板１１ＲＬと戸板１１ＲＲとは、その平板な面が同一面上に含まれるようにそれらを隣接して並べた状態で、複数の蝶番１１３により、それらの接合面の長手方向を軸とする軸回りに互いに回動可能に連結されることで、戸板１１Ｒに組み上げられている。戸板１１ＲＲの戸板１１ＲＬに対向する面、すなわち戸板１１ＲＲの戸板１１ＲＬに対する接合面には、平板なシリコンゴムであるシール材１１４Ｒが取り付けられている。シール材１１４Ｒは戸板１１ＲＬと戸板１１ＲＲが同一面を構成するようにかれた状態（折り畳まれていない状態）において、戸板１１ＲＬと戸板１１ＲＲの間に挟み込まれて、それらの戸板間を水密に封止する。
【００３１】
戸板１１ＬＲの戸板枠１１１の右側の上下方向の中央部付近と戸板１１ＲＬの戸板枠１１１の左側の上下方向の中央部付近には、各々、戸板１１の内側に取っ手１１５Ｌおよび取っ手１１５Ｒが設けられている。ユーザはこれらの取っ手１１５Ｌおよび取っ手１１５Ｒを握持することで、戸板１１Ｌおよび戸板１１Ｒを屋内側へと引き寄せることができる。
【００３２】
戸板１１Ｌは、その左側縁部において、複数の支持具１２を介して、窓枠８の左縦枠８Ｌの外側面上に左縦枠８Ｌの長手方向を軸とする軸回りに回動可能に固定されている。同様に戸板１１Ｒは、その右側縁部において、複数の支持具１２を介して、窓枠８の右縦枠８Ｒの外側面上に右縦枠８Ｒの長手方向を軸とする軸回りに回動可能に固定されている。
【００３３】
戸板１１Ｌの右側端部、すなわち戸板１１ＬＲの右側端部の内側面と、戸板１１Ｒの左側端部、すなわち戸板１１ＲＬの左側端部の外側面には、図４にその断面が示されるように、互いに重なり合った場合に噛み合うように鉛直方向全長に渡り切り欠きが設けられている。戸板１１ＬＲの右側端部の切り欠きの内側面、すなわち戸板１１を閉めた状態における戸板１１ＬＲの戸板１１ＲＬに対する接合面には、平板なシリコンゴムであるシール材１１４Ｍが取り付けられている。
【００３４】
屋内にいるユーザが戸板１１Ｒ、戸板１１Ｌの順に内側へとそれらの戸板を引き寄せると、戸板１１Ｌの右側端部がシール材１１４Ｍを挟んだ状態で戸板１１Ｒの左側端部を内側に押圧する。その状態で、シール材１１４Ｍは戸板１１Ｌと戸板１１Ｒの間を水密に封止する。
【００３５】
戸板１１は、上述したように、支持具１２により鉛直方向を軸とする軸回りに回動可能な状態で窓枠８に対し固定され支持される。支持具１２は、例えばアルミ製の特殊蝶番であり、矩形板形状のベースと、ベースから突起した環状体である２つの軸受け部と、それらの軸受け部の間に配置される環状体である取付部と、軸受け部および取付部により形成される筒状態の中に差し込まれる軸とを備えている。取付部は軸回りに回動自在である。
【００３６】
支持具１２のベースが左縦枠８Ｌもしくは右縦枠８Ｒの外側面にネジ止めや溶接等により固着され、支持具１２の取付部がネジ止めや溶接等により戸板１１Ｌの左側縁部もしくは戸板１１Ｒの右側縁部に取り付けられることで、戸板１１Ｌおよび戸板１１Ｒが鉛直方向の軸回りに回動可能な状態で窓枠８に取り付けられ、支持される。なお、支持具１２により支持される戸板１１Ｌおよび戸板１１Ｒが軸回りに概ね１８０度の範囲で回動可能となるように、支持具１２は戸板１１Ｌおよび戸板１１Ｒとその回動の範囲内において干渉を生じないようにその立体形状が設計されている。
【００３７】
シール材１３は、上述したように、戸板１１の内側面上に戸板１１の全体の外縁を一周するように矩形状に取り付けられた平板なシリコンゴムである。シール材１３は、図２に示されるように、戸板１１Ｌの内側面上に「コ」の字形状に取り付けられたシール材１３Ｌと、戸板１１Ｒの内側面上に「コ」の字形状に取り付けられたシール材１３Ｒとを備えている。
【００３８】
雨戸１が閉められる際、すなわち、例えば屋内にいるユーザが戸板１１Ｒ、戸板１１Ｌの順に内側へとそれらの戸板を引き寄せる際、戸板１１Ｌの内側面とそれに対向する左縦枠８Ｌの外側面との間にシール材１３Ｌが、また戸板１１Ｒの内側面とそれに対向する右縦枠８Ｒの外側面との間にシール材１３Ｒが、各々挟まれた状態となり、シール材１３Ｌにより戸板１１Ｌと左縦枠８Ｌとの間が、またシール材１３Ｒにより戸板１１Ｒと右縦枠８Ｒとの間が水密に封止される。
【００３９】
ユーザにより戸板１１が内側に引き寄せられている状態において、窓枠８の外側面に対し押圧されている戸板１１は、シール材１３およびシール材１１４Ｍの弾性により外側に付勢されている。従って、ユーザが戸板１１を内側に引き寄せる力を解放すれば、戸板１１Ｌおよび戸板１１Ｒが各々、軸回りに開く方向に回動し、戸板１１と窓枠８との間の封止が解除されることになる。
【００４０】
ユーザが引き寄せる力を解放しても封止が解除されないように、雨戸１に２個の係止具１４が設けられている。図５は、係止具１４を鉛直方向に上から下へ見た場合の形状を模式的に示した図である。なお、図５（ａ）は係止が行われる際もしくは係止が解除される際の途中段階の係止具１４を、また図５（ｂ）は係止が行われている状態の係止具１４を各々示している。
【００４１】
係止具１４は、窓枠８の下枠８Ｂの下側面上の左右方向の中央よりやや左側の位置と、上枠８Ｕの上側面上の左右方向の中央よりやや左側の位置の各々にネジ止め等で固着された左右方向に開閉するフックである開閉フック１４Ｍと、戸板１１が窓枠８を覆う状態において戸板１１の内側面の開閉フック１４Ｍに対向する位置、すなわち戸板１１Ｌの右上角部付近と右下角部付近の各々の位置において内側面側に開口した水平面による断面がキノコ形状の凹部であるフック受穴１４Ｆとを備えている。
【００４２】
戸板１１Ｌが家屋内側に引き寄せられると、下枠８Ｂおよび上枠８Ｕから家屋外側方向へ突起している開閉フック１４Ｍの先端部がそれに対向する位置に設けられたフック受穴１４Ｆに押し付けられ、左右に開いたフックが閉じながら開閉フック１４Ｍに嵌り込んでゆく（図５（ａ））。その後、開閉フック１４Ｍの先端部（鍔のようひ広がっている部分までの部分）がフック受穴１４Ｆの奥の中空部（キノコ形状の傘部分）に達すると、開閉フック１４Ｍの左右に閉じられたフックが開き、フック受穴１４Ｆ内の段差部分に引っ掛かる。これにより、戸板１１Ｌを内側に引き寄せる力が解除されても、開閉フック１４Ｍとフック受穴１４Ｆの係止状態が維持される。これにより、戸板１１が窓枠８を水密に覆うことになる。
【００４３】
ユーザが開閉フック１４Ｍの左右に設けられているボタンを左右外側から摘むように内側に押すと、左右に開いていたフックが閉じ、開閉フック１４Ｍの鍔部がフック受穴１４Ｆの段差部から外れ、戸板１１の窓枠８に対する係止状態が解除される（図５（ｂ））。従って、ユーザは開閉フック１４Ｍを左右外側から摘みながら戸板１１Ｌを外側に押すことで、容易に戸板１１を開くことができる。
【００４４】
ユーザは、雨戸１を開く際、図２および図４（ｂ）に示されるように、戸板１１Ｌおよび戸板１１Ｒを折り畳まない状態で開閉してもよいが、戸板１１Ｌおよび戸板１１Ｒを折り畳みながら開閉することで（図４（ｄ））、戸板１１の開閉に要する屋外の空間を小さくすることができるとともに、戸板１１の開閉のためにユーザが手を伸ばす距離が短くなり望ましい。
【００４５】
また、戸板１１Ｌおよび戸板１１Ｒを折り畳んで開くと、シール材１３が戸板１１ＬＬと戸板１１ＬＲとの間、もしくは戸板１１ＲＬと戸板１１ＲＲとの間に挟まれることになり、シール材１３に対する風雨による汚れの付着を低減することができ望ましい。
【００４６】
上述のように、雨戸１によれば、既存の窓の窓枠外側に、例えばネジ止め等による簡単な取り付け作業を行うのみで、低コストで窓枠８に対する密封性の高い雨戸が実現される。
【００４７】
また、雨戸１によれば、ガラス板１１２が防犯ガラスであるため容易に破壊することができず、高い防犯効果がもたらされる。
【００４８】
また、雨戸１によれば、ガラス板１１２が高い可視光透過率を有しているため、雨戸を閉めた状態でも採光をしつつ、また屋内から屋外の景色を見ることができる。従って、換気を要さない場合には、雨戸の開け閉めが不要となり便利である。
【００４９】
また、雨戸１によれば、紫外線のほとんどが屋内に入ってこないため、室内にいるユーザの人体に対する紫外線の悪影響を回避することができる。
【００５０】
また、雨戸１によれば、その密封性に加え、戸板１１と閉められた窓９との間に密封される空気層により高い断熱効果が得られる。
【００５１】
［実施形態］
以上、雨戸１を説明したが、雨戸１は本発明の一実施例であって、本発明の技術的思想の範囲内で様々に変形可能である。以下にそのような変形の例を示す。
【００５２】
上述した雨戸１は、各々２枚の戸板（戸板１１ＬＬおよび戸板１１ＬＲ、もしくは戸板１１ＲＬおよび戸板１１ＲＲ）を回動可能に組み上げた左側戸板（戸板１１Ｌ）と右側戸板（戸板１１Ｒ）の２枚を、いわゆる観音開き式に窓枠８に取り付けた構造を備えている。この戸板の数および配置は任意に変更可能である。例えば、全体として１枚の戸板を、その左側端部もしくは右側端部において窓枠８に取り付け、その一枚の戸板を鉛直方向の軸回りに回動させて開閉する構成が採用されてもよい。また、左側戸板（戸板１１Ｌ）および右側戸板（戸板１１Ｒ）の両方もしくは一方を、１枚の戸板（折り畳み不可）としてもよい。
【００５３】
また、左側戸板（戸板１１Ｌ）および右側戸板（戸板１１Ｒ）の両方もしくは一方を、例えば３枚以上の戸板を回動可能に組み上げ、雨戸を開く際に折り重ねることで、よりコンパクト化を可能とする構成が採用されてもよい。なお、その際、窓枠８に対し谷折りとなる戸板の接合部分に関しては、別途個別に係止具１４を設けることにより、窓枠８に対する戸板１１の密封性を確保することができる。また、左側戸板（戸板１１Ｌ）および右側戸板（戸板１１Ｒ）の幅やそれらを構成する戸板群の数は必ずしも同一である必要はなく、例えば戸板１１Ｌは１枚の戸板で構成される一方、戸板１１Ｒは３枚の戸板で構成される、といった構成が採用されてもよい。さらに、複数枚の戸板を回動可能に組み上げて構成される１枚の戸板により窓枠８全体を覆う構成が採用されてもよい。
【００５４】
また、上述した雨戸１は、鉛直方向の軸回りに回動可能な戸板１１を備える。この回動の軸の方向は任意に変更可能である。例えば、上枠８Ｕおよび下枠８Ｂの長手方向を軸とする軸回りに回動するように、各々、上側戸板と下側戸板が支持具１２により窓枠８に対し取り付けられる構成が採用されてもよい。その場合、雨戸の構造は、概ね雨戸１を右または左に９０度回転させたものとなる。さらに、窓の形状が円形等、矩形でないような場合には、例えば窓枠の右上部分に斜め４５度に軸を傾けた支持具１２を介して戸板を取り付ける等、鉛直方向もしくは水平方向のいずれでもない方向の軸回りに回動する戸板を備える雨戸もまた、本発明の技術的思想の範囲内に含まれる。
【００５５】
また、上述した雨戸１は、既に家屋壁内に設置されている窓枠８に対しネジ止め、溶接等により取り付けられるものとしたが、例えば窓枠８と支持具１２とが一体に成形された部材に対し戸板１１を取り付けるなど、他の方法により雨戸１の組み立てや取り付けが行われてもよい。
【００５６】
また、上述した雨戸１においては、図５に示されるように水平面による断面がキノコ型の凹部であるフック受穴１４Ｆと開閉するフックである開閉フック１４Ｍとが互いに嵌合することで戸板１１と窓枠８との係止が行われる。係止具１４の構造はこれに限られず、例えば戸板１１に取り付けられた環状金具に対し窓枠８に取り付けられたフックを引っ掛けるなど、着脱可能に戸板１１と窓枠８とを係止可能なものであれば、どのような構造の係止具１４が採用されてもよい。
【００５７】
また、上述した雨戸１においては、戸板１１の戸板枠１１１の内側面上にシール材１３が配置されるものとしたが、シール材１３の配置位置はこれに限られず、例えば窓枠８の外側面上にシール材１３が配置されてもよい。同様に、シール材１１４Ｌを戸板１１ＬＬではなく戸板１１ＬＲの接合面に配置する、シール材１１４Ｒを戸板１１ＲＲではなく戸板１１ＲＬの接合面に配置する、シール材１１４Ｍを戸板１１Ｌの内側面ではなく戸板１１Ｒの外側面に配置する、といった各シール材の配置位置の変更もまた、本発明の技術的思想の範囲内の変形である。
【００５８】
なお、上述した雨戸１において採用されている素材、個数、形状、サイズ等はあくまで例示であって、他の素材、形状、個数の部材が用いられてもよい。例えば、戸板枠１１１を樹脂製とする、支持具１２や蝶番１１３をステンレス製にする、ガラス板１１２を透明アクリル樹脂板にする、シール材１３等をウレタンゴム製とする、といった素材の変更は本発明の技術的思想の範囲内の変形である。また、戸板１１を構成する部分戸板の数は任意に変更可能である点は既に述べたが、例えば支持具１２の数を２個でなく３個以上とする、蝶番１１３の数を２個もしくは４個以上とする、といった個数の変更もまた、本発明の技術的思想の範囲内の変形である。また、図に示した雨戸１の各部材の形状やサイズのバランスなどもまた、自由に変更可能である。
【００５９】
また、雨戸１は紫外線を９９％以上カットし、可視光透過率が９０％以上の防犯ガラスがガラス板１１２として採用されているが、不要であればこれらの全てもしくは一部の性能を変更してもよい。例えば、紫外線をカーテン等の他の手段によりカットすることが可能であれば、ガラス板１１２の紫外線カット率が低くてもよく、防犯については他の防犯設備により確保されるのであれば、通常の板ガラスが採用されてもよい。
【００６０】
また、ガラス板１１２は、戸板１１に対し垂直に見た場合の５０％以上の面積の領域において５０％以上の可視光透過率が得られるものであることが望ましい。すなわち透明もしくは半透明であることで、十分な採光が可能となるとともに、屋内にいるユーザが外の景色等を雨戸１を閉めたままで観ることができるためである。ただし、雨戸１は開閉が容易であるため、ガラス板１１２に代えて不透明な板状素材が採用されてもよい。例えば、断熱性能や防音性能の高い不透明素材をガラス板１１２に代えて採用することで、高い断熱性や防音性を得ることができ、望ましい場合もある。
【産業上の利用可能性】
【００６１】
本発明にかかる雨戸は量産可能であり、窓を有する多くの家屋において採用可能であるため、少なくとも製造業、卸売業等のサービス業、建設業において利用可能である。
【符号の説明】
【００６２】
１…雨戸、７…壁、８…窓枠、９…窓、１１…戸板、１２…支持具、１３…シール材、１４…係止具
【図１】
2012193525.tif 000003
【図２】
2012193525.tif 000004
【図３】
2012193525.tif 000005
【図４】
2012193525.tif 000006
【図５】
2012193525.tif 000007